(57)【要約】【課題】手袋を装着する際、ホールに指を挿入し、自由度が高い手袋構造を提供する。【解決手段】手袋構造は、装着本体１を備える。装着本体１は、装着空間、履き口１２、複数の指部１３、手の甲部１４及び掌部１５を有する。各指部１３内には、装着領域１３１が設けられる。装着空間は、手の甲部１４と掌部１５との間に設けられ、装着空間と、履き口１２と、各装着領域１３１とは互いに連通する。各指部１３は、下端で互いに接続される。各指部１３の一端には、少なくとも１つのホール１３２がそれぞれ形成される。各ホール１３２は、装着空間と連通し、指が各ホール１３２に挿入される。各ホール１３２は、装着本体１に編布方式で余裕孔に一体成形される。【選択図】図５
0003220673.tif 000002
【実用新案登録請求の範囲】
【請求項１】
装着本体を備えた手袋構造であって、
前記装着本体は、装着空間、履き口、複数の指部、手の甲部及び掌部を有し、各前記指部内には、装着領域が設けられ、前記装着空間は、前記手の甲部と前記掌部との間に設けられ、前記装着空間と、前記履き口と、各前記装着領域とは互いに連通し、
各前記指部は、下端で互いに接続され、各前記指部の一端には、少なくとも１つのホールがそれぞれ形成され、各前記ホールは、前記装着空間と連通し、指が各前記ホールに挿入され、各前記ホールは、前記装着本体に編布方式で余裕孔に一体成形されることを特徴とする手袋構造。
【請求項２】
各前記ホールは、指の腹の一端に対応するように形成されることを特徴とする請求項１に記載の手袋構造。
【請求項３】
前記ホールは、前記掌部の上縁に対応するように形成されることを特徴とする請求項１に記載の手袋構造。
【請求項４】
各前記ホールは、封止部材をそれぞれ有し、
前記封止部材により制御し、各前記ホールを開放状態にするか封止状態にすることを特徴とする請求項１に記載の手袋構造。
【請求項５】
前記指部と指の腹との相対位置には、滑り止め部材が設けられていることを特徴とする請求項１に記載の手袋構造。
【請求項６】
各前記滑り止め部材は、指先の相対位置まで上方へ延び、
各前記指部には、貫通孔がそれぞれ形成され、各前記貫通孔は、各前記装着領域と連通し、各前記滑り止め部材と各前記貫通孔との相対位置には、導電端が設けられ、各前記導電端の一端は、各前記装着領域内に設けられ、
各前記滑り止め部材は、導電材料からなることを特徴とする請求項５に記載の手袋構造。
【請求項７】
各前記滑り止め部材は、前記掌部に至るまで下向きに延びるとともに、複数の滑り止めパターンを有することを特徴とする請求項５に記載の手袋構造。
【請求項８】
前記履き口の編布密度は、各前記指部、前記手の甲部及び前記掌部より大きく、前記履き口に前腕の一端が挿入されることを特徴とする請求項１に記載の手袋構造。
【請求項９】
各前記指部の上端には、延伸端が設けられ、
前記延伸端は、各前記指部が上方へ延びて成形されることを特徴とする請求項１に記載の手袋構造。
【請求項１０】
各前記延伸端の一側には、複数の滑り止めパターンが設けられることを特徴とする請求項９に記載の手袋構造。
【考案の詳細な説明】
【技術分野】
【０００１】
本考案は、手袋構造に関するものである。
【背景技術】
【０００２】
手袋を使用すると、指が同一空間内に包まれるため、指の自由度が下がって動きが制限され、指の自由度及び保温性を同時に達成することは困難である。そのため、従来技術には、指なし手袋の外側に指付き外カバーを被せ、この外カバーが取り外し可能となっており、保温性及び指の自由度を同時に達成することができるものがあった。しかし、指なし手袋と外カバーとの組み合わせにより、指の自由度を改善することができたが、指なし手袋と外カバーとの間の隙間から熱エネルギーが失われ、外カバーと指との間の隙間により手袋の保温性が大幅に下がってしまうという問題点があった。
【考案の概要】
【考案が解決しようとする課題】
【０００３】
従って、本考案の主な課題は、手袋を装着する際、自由度が高い手袋構造を提供することにある。
【課題を解決するための手段】
【０００４】
そこで、本考案者は、本考案の前記課題を解決するため鋭意検討を重ねた結果、各指部に下記の通り、ホールを設けることにより、前記課題を解決できることに着目し、かかる各知見に基いて、本考案に想到するに至った。
【０００５】
かくして、本考案の要旨は次の（１）〜（１０）に記載の通りのものである。
（１）装着本体を備えた手袋構造であって、
前記装着本体は、装着空間、履き口、複数の指部、手の甲部及び掌部を有し、各前記指部内には、装着領域が設けられ、前記装着空間は、前記手の甲部と前記掌部との間に設けられ、前記装着空間と、前記履き口と、各前記装着領域とは互いに連通し、
各前記指部は、下端で互いに接続され、各前記指部の一端には、少なくとも１つのホールがそれぞれ形成され、各前記ホールは、前記装着空間と連通し、指が各前記ホールに挿入され、各前記ホールは、前記装着本体に編布方式で余裕孔に一体成形されることを特徴とする手袋構造。
【０００６】
（２）各前記ホールは、指の腹の一端に対応するように形成されることを特徴とする前記（１）に記載の手袋構造。
【０００７】
（３）前記ホールは、前記掌部の上縁に対応するように形成されることを特徴とする前記（１）に記載の手袋構造。
【０００８】
（４）各前記ホールは、封止部材をそれぞれ有し、
前記封止部材により制御し、各前記ホールを開放状態にするか封止状態にすることを特徴とする前記（１）に記載の手袋構造。
【０００９】
（５）前記指部と指の腹との相対位置には、滑り止め部材が設けられていることを特徴とする前記（１）に記載の手袋構造。
【００１０】
（６）各前記滑り止め部材は、指先の相対位置まで上方へ延び、
各前記指部には、貫通孔がそれぞれ形成され、各前記貫通孔は、各前記装着領域と連通し、各前記滑り止め部材と各前記貫通孔との相対位置には、導電端が設けられ、各前記導電端の一端は、各前記装着領域内に設けられ、
各前記滑り止め部材は、導電材料からなることを特徴とする前記（５）に記載の手袋構造。
【００１１】
（７）各前記滑り止め部材は、前記掌部に至るまで下向きに延びるとともに、複数の滑り止めパターンを有することを特徴とする前記（５）に記載の手袋構造。
【００１２】
（８）前記履き口の編布密度は、各前記指部、前記手の甲部及び前記掌部より大きく、前記履き口に前腕の一端が挿入されることを特徴とする前記（１）に記載の手袋構造。
【００１３】
（９）各前記指部の上端には、延伸端が設けられ、
前記延伸端は、各前記指部が上方へ延びて成形されることを特徴とする前記（１）に記載の手袋構造。
【００１４】
（１０）各前記延伸端の一側には、複数の滑り止めパターンが設けられることを特徴とする前記（９）に記載の手袋構造。
【考案の効果】
【００１５】
本考案は、前記の通りの構成からなり、後述の如く、装着本体が保温性を有すると共に、掌部及び指部も良好な保温性を有することが可能となる。
【図面の簡単な説明】
【００１６】
【図１】図１は、本考案の一実施形態に係る手袋構造を示す正面図である。
【図２】図２は、本考案の一実施形態に係る手袋構造を示す背面図である。
【図３】図３は、本考案の他の実施形態に係る手袋構造を示す背面図である。
【図４】図４は、本考案の一実施形態に係る手袋構造を示す部分拡大図である。
【図５】図５は、本考案の一実施形態に係る手袋構造を使用するときの状態の説明図である。
【考案を実施するための形態】
【００１７】
まず、図１〜図５を参照する。図１〜図５に示すように、本考案の一実施形態に係る手袋構造は、装着本体１を備える。装着本体１は、装着空間１１、履き口１２、複数の指部１３、手の甲部１４及び掌部１５を有する。
【００１８】
装着本体１は、装着空間１１、履き口１２、各指部１３、手の甲部１４及び掌部１５を有する。装着本体１の各指部１３内には、装着領域１３１が設けられる。装着本体１の装着空間１１は、装着本体１の手の甲部１４と装着本体１の掌部１５との間に設けられ、装着本体１の装着空間１１と、装着本体１の履き口１２と、装着本体１の各指部１３の装着領域１３１とが互いに連通する。装着本体１は、各指部１３の下端が互いに接続され、装着本体１の各指部１３の一端には、少なくとも１つのホール１３２が形成される。装着本体１の各指部１３の各ホール１３２は、装着本体１の装着空間１１と連通し、指部が装着本体１の各指部１３の各ホール１３２に挿入される。装着本体１の各指部１３の各ホール１３２は、装着本体１に編布方式で余裕孔に一体成形され、装着本体１の各指部１３の各ホール１３２が弾性を有するとともに、使用回数の頻度に応じて装着本体１の各指部１３の各ホール１３２を拡大させるか変形させることができる。
【００１９】
装着本体１の各指部１３の各ホール１３２は、指の腹の一端に対応するように形成され、装着本体１の各指部１３の各ホール１３２を介して指部の末端が突出され、突出された面積が小さく、装着本体１の各指部１３を指の根元に向かって押曲げると、指部の露出面積が増える。このように、指部の露出面積を調整すると、保温性及び自由度を調整することができる。
【００２０】
装着本体１の指部１３のホール１３２は、掌の上縁に設けられ、指部の人差し指、中指、薬指及び小指を装着本体１の指部１３のホール１３２に同時に挿入すると、最大限度で指の自由度が高まり、指なし手袋と指カバーとの間の距離を調整することができる。
【００２１】
装着本体１の指部１３のホール１３２は、封止部材１３２１をそれぞれ有する。各指部１３のホール１３２の封止部材１３２１は、装着本体１の指部１３のホール１３２を制御して開放状態又は封止状態にする。
【００２２】
各指部１３のホール１３２の封止部材１３２１は、線ファスナー、ボタン、面ファスナー、弾性バンド、及びにこれらの組み合わせからなるもののうちの何れか１つであり、各指部１３のホール１３２の封止部材１３２１を自動方式又は手動方式で装着本体１の各指部１３のホール１３２を制御して開放状態又封止状態にし、装着本体１の各指部１３の装着領域１３１中に指が挿入されると、装着本体１の各指部１３のホール１３２は、封止部材１３２１により封止される。
【００２３】
装着本体１の各指部１３と指の腹との相対位置には、滑り止め部材１６が設けられる。装着本体１の各滑り止め部材１６は、装着本体１の各指部１３が握るときの摩擦力を高め、従来の手袋が握るときに摩擦力が十分でない問題点を改善することができる。
【００２４】
装着本体１の各滑り止め部材１６は、滑り止め材料からなり、その材料特性により装着本体１の各滑り止め部材１６は滑り止め機能を得て、装着本体１を握るときの摩擦力を高めることができる。
【００２５】
装着本体１の各滑り止め部材１６は、指先の相対位置まで上方へ延びる。装着本体１の各指部１３には、貫通孔１３３がそれぞれ形成される。装着本体１の各指部１３の貫通孔１３３は、装着本体１の各指部１３の装着領域１３１と連通する。装着本体１の各滑り止め部材１６と、装着本体１の各指部１３の各貫通孔１３３との相対位置には、導電端１６１が設けられる。装着本体１の各滑り止め部材１６の各導電端１６１の一端は、装着本体１の各指部１３の装着領域１３１内に設けられる。装着本体１の各滑り止め部材１６は、導電材料からなり、装着本体１の各指部１３の装着領域１３１内に指が挿入されると、指の腹が装着本体１の各滑り止め部材１６の各導電端１６１に接触され、装着本体１の各滑り止め部材１６が有する導電特性を利用し、装着本体１の各滑り止め部材１６を介し、指の腹によりタッチパネルを操作することができる。
【００２６】
装着本体１の各滑り止め部材１６は、装着本体１の掌部１５に至るまで下向きに延びる。装着本体１の各滑り止め部材１６に設けられた複数の滑り止めパターン１６２により、装着本体１の掌部１５を握るときに摩擦力が増えるため、従来の手袋では丸くて滑り易い物体を握る際、掌の摩擦力が十分でないため、労力が無駄にかかって安定的に握ることができない問題点を改善し、装着本体１を握るときに、装着本体１の各滑り止め部材１６により装着本体１を握る際の摩擦力を高めることができる。
【００２７】
装着本体１は、編布方式で一体成形して形成されて装着本体１が弾性を有し、装着本体１の履き口１２の編布密度が装着本体１の各指部１３、装着本体１の手の甲部１４及び装着本体１の掌部１５より大きく、装着本体１の履き口１２に前腕の一端が挿入されると、外れないように掌部に装着本体１が固定される。
【００２８】
装着本体１の各指部１３の上端には、延伸端１３４が設けられる。装着本体１の各指部１３の延伸端１３４は、装着本体１の各指部１３が上方へ延びて成形され、指により装着本体１の各指部１３の延伸端１３４を引っ張り上げ、装着本体１の各指部１３のホール１３２と指部の末端が揃えられ、指部の末端が装着本体１の各指部１３のホール１３２に挿入され、装着本体１の各指部１３の延伸端１３４により装着本体１の各指部１３を引っ張り上げると、装着本体１の各指部１３のホール１３２に指の末端を挿入することができる。
【００２９】
装着本体１の各指部１３の延伸端１３４の一側には、複数の滑り止めパターン１３４１が設けられ、装着本体１の各指部１３の延伸端１３４を引っ張り上げる際、各指部１３の延伸端１３４の各滑り止めパターン１３４１により引っ張り上げる際の摩擦力が高いため、スピーディーかつ楽に引っ張り上げることができる。
【００３０】
以下、本実施形態の使用状態を説明する。
【００３１】
まず、装着本体１の各指部１３の各ホール１３２は、指の腹の一端に設けられ、装着本体１の各指部１３の各ホール１３２に指部の末端を挿入して突き出た面積が減り、装着本体１の各指部１３を指の付け根へ向かって押曲げると指部の露出面積が増えるため、指部の露出面積を調整し、保温性及び自由度を調整することができる。
【００３２】
また、装着本体１の指部１３のホール１３２は、掌部の上縁に形成され、指の人差し指、中指、薬指及び小指が装着本体１の指部１３のホール１３２に同時に挿入されると、最大限度で指の自由度が高まり、装着本体１を指なし手袋と指カバーとの間で調整することができる。
【００３３】
装着本体１の指部１３のホール１３２は、封止部材１３２１をそれぞれ有する。各指部１３のホール１３２の封止部材１３２１は、装着本体１の指部１３のホール１３２を制御して開放状態又は封止状態にする。各指部１３のホール１３２の封止部材１３２１は、線ファスナー、ボタン、面ファスナー、弾性バンド、及びにこれらの組み合わせからなるもののうちの何れか１つであり、各指部１３のホール１３２の封止部材１３２１を自動方式又は手動方式で装着本体１の各指部１３のホール１３２を制御して開放状態又封止状態にし、指部が装着本体１の各指部１３の装着領域１３１中に挿入されると、装着本体１の各指部１３のホール１３２は、指部１３のホール１３２の封止部材１３２１により封止状態となる。
【００３４】
また、装着本体１の各指部１３には、指の腹の相対位置に滑り止め部材１６が設けられている。装着本体１の各滑り止め部材１６は、装着本体１の各指部１３が握るときの摩擦力を高め、従来の手袋が握るときに摩擦力が十分でない問題点を改善する。装着本体１の各滑り止め部材１６は、滑り止め材料からなり、その材料特性により装着本体１の各滑り止め部材１６は滑り止め機能を得て、装着本体１が握るときの摩擦力を高めるとともに、装着本体１の各滑り止め部材１６は、指先の相対位置まで上方へ延びる。装着本体１の各指部１３には、貫通孔１３３がそれぞれ形成される。装着本体１の各指部１３の貫通孔１３３は、装着本体１の各指部１３の装着領域１３１と連通する。装着本体１の各滑り止め部材１６と、装着本体１の各指部１３の各貫通孔１３３との相対位置には、導電端１６１が設けられる。装着本体１の各滑り止め部材１６の各導電端１６１の一端は、装着本体１の各指部１３の装着領域１３１内に設けられる。装着本体１の各滑り止め部材１６は、導電材料からなり、装着本体１の各指部１３の装着領域１３１内に指が挿入されると、指の腹が装着本体１の各滑り止め部材１６の各導電端１６１に接触され、装着本体１の各滑り止め部材１６が有する導電特性を利用し、指の腹は装着本体１の各滑り止め部材１６によりタッチパネルを操作することができる。または、装着本体１の各滑り止め部材１６は、装着本体１の掌部１５に至るまで下向きに延びる。装着本体１の各滑り止め部材１６に設けられた複数の滑り止めパターン１６２により、装着本体１の掌部１５を握るときに摩擦力が増え、従来の手袋により丸くて滑り易い物体を握るときに、掌の摩擦力が十分でないため、労力が無駄にかかって安定的に握ることができない問題点を改善し、装着本体１を握るときに、装着本体１の各滑り止め部材１６を利用して装着本体１を握るときに生じる摩擦力を高めることができる。
【００３５】
また、本考案の一実施形態に係る手袋構造は、装着本体１を含む。装着本体１は、装着空間１１、履き口１２、各指部１３、手の甲部１４及び掌部１５を有する。装着本体１の各指部１３内には、装着領域１３１がそれぞれ設けられる。装着本体１の装着空間１１は、装着本体１の手の甲部１４と装着本体１の掌部１５との間に設けられ、装着本体１の装着空間１１と、装着本体１の履き口１２と、装着本体１の各指部１３の装着領域１３１とが互いに連通する。装着本体１の各指部１３は、下端が互いに接続され、装着本体１の各指部１３の一端には、少なくとも１つのホール１３２が形成される。装着本体１の各指部１３の各ホール１３２は、装着本体１の装着空間１１と連通し、装着本体１の各指部１３の各ホール１３２に指を挿入する。装着本体１の各指部１３の各ホール１３２は、装着本体１に編布方式で余裕孔に一体成形され、装着本体１の各指部１３の各ホール１３２から指を出して細かな操作を行い、操作が終了した後、指部を装着本体１の各指部１３の各ホール１３２を介して装着本体１の各指部１３の装着領域１３１中に挿入する。装着本体１が弾性を有し、装着本体１の装着空間１１及び装着本体１の各指部１３の装着領域１３１の内縁が掌部及び指部に接触されるため、装着本体１が保温性を有するとともに、掌部及び指部も良好な保温性を有し、手袋を装着する際、各ホール１３２に指を挿入することができる。
【符号の説明】
【００３６】
１  装着本体
１１  装着空間
１２  履き口
１３  指部
１４  手の甲部
１５  掌部
１６  滑り止め部材
１３１  装着領域
１３２  ホール
１３３  貫通孔
１３４  延伸端
１６１  導電端
１６２  滑り止めパターン
１３２１  封止部材
１３４１  滑り止めパターン
【図１】
0003220673.tif 000003
【図２】
0003220673.tif 000004
【図３】
0003220673.tif 000005
【図４】
0003220673.tif 000006
【図５】
0003220673.tif 000007